(57)【特許請求の範囲】
【請求項１】
インストルメントパネルの乗員との対向面に配備された車両用表示装置において、
前記対向面に取り付けられた操作パネル上に配設され、複数車載機器の内より指定された機器の駆動時に、同機器が備える複数機能の内より選択した１つの機能に沿って同機器を駆動させる機能指定スイッチと、同機能指定スイッチの近傍であって前記操作パネル上に配設され、前記機器が新たに指定される毎に、最新の指定機器が備える複数機能の内より選択した１つの指定機能を表示する機能表示部とを備え、
前記機能指定スイッチは回転操作されることで前記機能表示部の表示を順次切り換える機能ダイヤルからなることを特徴とする車両用表示装置。
【請求項２】
インストルメントパネルの乗員との対向面に配備された車両用表示装置において、
前記対向面に取り付けられた操作パネル上に配設され、複数車載機器の内より指定された機器を駆動モードに切換える機器切換スイッチと、同機器切換スイッチの近傍に配設され、現在指定されている機器が駆動モードにあることを表示する駆動機器表示部と、前記操作パネル上に配設され、前記指定された機器の駆動時に、同指定機器が備える複数機能の内より選択した１つの機能に沿って同機器を駆動させる機能指定スイッチと、同機能指定スイッチの近傍に配設され、前記機器が新たに指定される毎に、最新の指定機器が備える複数機能の内より選択した１つの指定機能を表示する機能表示部とを備え、
前記機能指定スイッチは回転操作されることで前記機能表示部の表示を順次切り換える機能ダイヤルからなり、前記機能表示部は前記機能ダイヤルの回りに切欠円状に形成され、
前記１の機器が指定された後に、同指定機器の駆動がオフされていない限り、前記機器切換スイッチにより他の機器が駆動モードに切り換えられた場合は、最新の指定機器を前記駆動機器表示部により、最新の指定機能を前記機能表示部によりそれぞれ表示することを特徴とする車両用表示装置。
【発明の詳細な説明】
【０００１】
【発明の属する技術分野】
本発明は、車両のインストルメントバネルに取り付けられた車両用表示装置に関し、特に、オーディオやナビゲーションやエアコン等の各機器の操作部及び表示部を配設する操作パネルに用いて好適な車両用表示装置に関するものである。
【０００２】
【従来の技術】
従来、車両用インストルメントパネルの乗員との対向面にはオーディオやナビゲーションやエアコン等の各機器の操作パネルが順次隣合って取り付けられ、各操作パネルには複数のスイッチ等からなる操作部や機器駆動表示や機能表示のための表示部が集約して配設される。
たとえば、図６に示すインストルメントパネル１００は中央にセンタパネル１１０を一体的に取付け、そのセンタパネル１１０にはその上端部にエアコン用ブロアー１２０が取り付けられ、同ブロアー１２０の下方にオーディオ／ナビゲーション用パネル１３０、エアコン用パネル１４０が上下に隣合って配備される。各機器の操作パネル１３０、１４０には図示しない操作部や表示部が集約して配設され、こられの各操作部の操作スイッチ類はそれぞに与えられた切換機能あるいは調整機能を１あるいは複数果たすように設けられる。このため、通常の操作部には多数の操作スイッチ等が配備され、各操作スイッチにはその近傍に各機器の駆動表示や機能表示のための表示部がそれぞれ配設される。
【０００３】
このような車両用表示装置を使用する乗員はオーディオ／ナビゲーション用パネル１３０やエアコン用パネル１４０上にそれぞれ集約して配備される表示部を目視しつつ各機器の切換スイッチや機能指定スイッチを操作し、駆動したい機器を各機器が備える機能に沿った駆動モードで駆動させている。なお、このような車両用表示装置及びそこで用いる操作スイッチの一例が特開平１１−７３８５１号公報に開示されている。
【０００４】
【発明が解決しようとする課題】
ところで、図６のセンタパネル１１０の乗員との対向面はその大きさが限られ、オーディオ／ナビゲーション用パネル１３０やエアコン用パネル１４０等を取り付けたことで、空きの取付けスペースを備えず、センタパネル１２０上にこれら以外の機器を追加して取付けることはできない。特に、オーディオ／ナビゲーション用パネル１３０の２倍程度の大きさを有する、所謂、２ＤＩＮサイズのオーディオ用パネル（２点鎖線ｅで示した）を使用する場合であると、下方のエアコン用パネル１４０を排除しない限り取付けはできなかった。
【０００５】
なお、特開平１１−７３８５１号公報に開示されているように、１つの操作スイッチを操作部材の押し込みと回転と反転の各操作が可能となるように形成し、これにより１つの操作スイッチで３つの切換え操作を行えるようにしたものや、操作スイッチの回転操作で機器の選択をし、操作スイッチ上に支持される複数の選択スイッチで複数機能を切換えできるものが開示されている。しかし、このように操作スイッチ自体は複数機器の切り換え機能を付与されることで、その配設スペースを節約できるが、操作パネル上の操作スイッチの近傍に配備される機器の駆動や同機器が備える複数の機能を表示する表示部はそれぞれが単に１つの機器の駆動表示や機能表示を行うのみである。
【０００６】
このため、従来の車両用表示装置は、複数の機器がある場合、各機器毎に同機器が備える複数機能の内より１つの機能を選択するための操作部と表示部とを機器の数だけ必要とし、比較的多数の表示部用のスペースを必要とし、操作パネルが大型化する傾向にある。更に、特開平１１−７３８５１号公報に開示される表示部はその内の一部が操作パネル以外の別体表示部上に離れて設けられている。このため、操作スイッチの切換えを操作パネル上の表示部を見て行う場合と、別体表示部上の表示部を見て行う場合とが混在することとなり、操作者に採って紛らわしく、しかも、別体表示部を必要とするので構成が複雑化し、コスト増を招く。
【０００７】
本発明は、上述の課題に基づき、複数車載機器の内より指定された機器の駆動時に、１つの機能表示部を複数の車載機器の機能表示部として順次切り換え使用でき、全体として表示部の配設スペースの節約を行え、操作パネルの小型化を図れる車両用表示装置を提供することを目的とする。
【０００８】
【課題を解決するための手段】
上述の目的を達成するために、請求項１の発明では、インストルメントパネルの乗員との対向面に配備された車両用表示装置において、
前記対向面に取り付けられた操作パネル上に配設され、複数車載機器の内より指定された機器の駆動時に、同機器が備える複数機能の内より選択した１つの機能に沿って同機器を駆動させる機能指定スイッチと、同機能指定スイッチの近傍に配設され、前記機器が新たに指定される毎に、最新の指定機器が備える複数機能の内より選択した１つの指定機能を表示する機能表示部とを備え、前記機能指定スイッチは回転操作されることで前記機能表示部の表示を順次切り換える機能ダイヤルからなることを特徴とする。
このように、複数の車載機器がある場合、本来、各機器毎に同機器が備える複数機能の内より１つの機能を選択するための操作部や表示部を機能の数だけ必要としていたのに対し、ここでは、機能指定スイッチ及び機能表示部のみに統合し、これらを乗員との対向面の操作パネル上に配備している。このため、複数車載機器の内より最新の指定機器が指定される毎に、同指定機器が備える複数機能の内より機能指定スイッチで選択した最新の１つの指定機能で指定機器が駆動モードにあることを機能表示部により目視し易い位置に容易に表示できる。特に、１つの機能表示部を複数の車載機器の機能表示部として切り換え使用でき、操作パネルに配備される機能表示部の配設スペースの節約を行え、操作パネルの小型化を促進でき、装着性を改善でき、更に、機能指定スイッチは機能ダイヤルからなるので、配設スペースのコンパクト化を図れる。
【０００９】
請求項２の発明では、インストルメントパネルの乗員との対向面に配備された車両用表示装置において、
前記対向面に取り付けられた操作パネル上に配設され、複数車載機器の内より指定された機器を駆動モードに切換える機器切換スイッチと、同機器切換スイッチの近傍に配設され、現在指定されている機器が駆動モードにあることを表示する駆動機器表示部と、前記操作パネル上に配設され、前記指定された機器の駆動時に、同指定機器が備える複数機能の内より選択した１つの機能に沿って同機器を駆動させる機能指定スイッチと、同機能指定スイッチの近傍に配設され、前記機器が新たに指定される毎に、最新の指定機器が備える複数機能の内より選択した１つの指定機能を表示する機能表示部とを備え、前記機能指定スイッチは回転操作されることで前記機能表示部の表示を順次切り換える機能ダイヤルからなり、前記機能表示部は前記機能ダイヤルの回りに切欠円状に形成され、前記１の機器が指定された後に、同機器の駆動がオフされていない限り、前記機器切換スイッチにより他の機器が駆動モードに切り換えられた場合は、最新の指定機器を前記駆動機器表示部により、最新の指定機能を前記機能表示部によりそれぞれ表示することを特徴としている。
【００１０】
このように、本来、機器の数に応じた数の操作部や表示部を備え、しかも、各機器毎に同機器が備える複数機能の内より１つの機能を選択するための操作部や表示部を機能の数だけ必要としていたのに対し、ここでは、機器切換スイッチ、駆動機器表示部、機能指定スイッチ及び機能表示部のみに統合し、これらを乗員との対向面の操作パネル上に配備し、特に、指定機器の駆動がオフされていない限り、機器切換スイッチにより他の機器が駆動モードに切り換えられた場合は、最新の指定機器を駆動機器表示部により、指定機能を機能表示部によりそれぞれ表示する。
このため、機器切換スイッチ及び機能指定スイッチにより複数機器の切換え及び指定機能の切換えを行う際に、駆動機器表示部及び機能表示部により指定機器の駆動表示及び指定機器が指定機能で駆動モードにあることを目視し易い位置に容易に表示できる。特に、１つの機能表示部を複数の車載機器の機能表示部として切り換え使用でき、操作パネルに配備される表示部の配設スペースの節約を行え、操作パネルの小型化を促進でき、装着性を改善でき、更に、機能指定スイッチは機能ダイヤルからなるので、配設スペースのコンパクト化を図れる。しかも、現在駆動指定されている機器の駆動がオフされていない限り、機器切換スイッチにより他の機器が駆動モードに切り換えられた場合、現在指定されている機器を駆動したままで新たに他の機器を駆動モードに切換え、複数機器が同時駆動に入っても、最新の指定機器を駆動機器表示部により表示でき、最新の指定機能を機能表示部により表示でき、複数機器の駆動及び機能状態を表示性や操作性よく表示できる。
【００１１】
好ましくは、請求項１又は請求項２記載の車両用表示装置において、前記同機器切換スイッチはダイヤル式スイッチであっても良い。この場合、機器切換スイッチをよりコンパクト化できる。
【００１２】
【発明の実施の形態】
図１には本発明の一実施形態としての車両用表示装置を示した。この車両用表示装置は車両用のインストルメントパネル１のセンタパネル２上に一体的に取付けられる。ここでのセンタパネル２は車幅方向Ｙに長いインストルメントパネル１の本体３の中央に取り付けられ、その下部には車体後方（紙面手前側）に伸びるセンターコンソール５の前部を連結している。センタパネル２は乗員との対向面を突き出し形成しており、走行中に目視しやすい中央位置に操作パネル６及びその直下の小物入れ４を取付け、その上方にエアコン用ブロアー１０が取り付けられ，更に、上端には表示パネル７を取付けている。なお、下方のセンターコンソール５には上下の小物入れ９、１１が配備されている。
【００１３】
表示パネル７はポップアップ式であり、姿勢駆動装置３４を備える。この姿勢駆動装置３１は表示パネル７の不使用時にはオフし、表示パネル７をセンタパネル２の上部に収納する。一方、姿勢駆動装置３４は後述のＴＶ駆動回路２４１、ナビゲーションシステム駆動回路２４５の一つが選択的に電源回路２３に接続されて駆動信号Ｄ１，Ｄ５が出力された際には、使用時にあるとして表示パネル７を上方の突出位置（図１に実線で示す位置）に切り換え保持するようになっている。
操作パネル６は、図２（ａ）〜図３（ｂ）に示すように、横向きに長い矩形板状を成し、右側部位に機器切換スイッチとしてのモード選択ダイヤル１２が、その左側に３つの機能指定スイッチとしての第１機能ダイヤル１３、第２機能ダイヤル１４、第３機能ダイヤル１５がこの順に配設されている。更に、操作パネル６上にはモード選択ダイヤル１２の近傍位置に駆動機器表示部１６が配備され、第１乃至第３機能ダイヤル１３、１４、１５の近傍位置には第１乃至第３機能表示部１７、１８、１９が配設される。なお、操作パネル６上には第１、第２の補助機能指定スイッチ２１、２２が別途配設されている。
【００１４】
図４に示すように、モード選択ダイヤル１２は５つの車載機器の電源回路２３上に配備され、ＯＦＦ位置に切り換え保持されると全ての機器をオフに保持でき、その他のＴＶ、ＦＭ／ＡＭ、Ａ／Ｃ、ＴＡＰＥ／ＣＤ、ナビの各機器マークに切り換えられると、駆動回路２４、即ち、ＴＶ機器Ｍ１のＴＶ駆動回路２４１、音響システムＭ２の音響システム駆動回路２４２、Ａ／Ｃ機器Ｍ３のＡ／Ｃ駆動回路２４３、ＴＡＰＥ／ＣＤ機器Ｍ４のＴＡＰＥ／ＣＤ駆動回路２４４、ナビゲーションシステムＭ５のナビゲーション駆動回路２４５に電源回路２３を接続できる。
【００１５】
機能指定スイッチとしてここでは第１乃至第３機能ダイヤル１３〜１５を並設している。各ダイヤル部１３１〜１５１には切り換え回路３１〜３３が接続され、回りには切欠円状に形成されている第１乃至第３機能表示部１７〜１９が形成される。ここで各ダイヤル部１３１〜１５１が回転操作され、各ダイヤル部１３１〜１５１に位置合わせすることで、同位置に表示されている機能表示マーク相当の機能で駆動指定されている機器を駆動する機能切り換え信号ｄ１〜ｄ３を各駆動回路２４側に出力する。なお、第１乃至第３機能ダイヤル１３〜１５の頂面にはダイヤル機能を補助的に説明するダイヤル本体表示部２５〜２７が形成されている。このダイヤル本体表示部２５〜２７は、図４に示すように、第１乃至第３機能表示部１７〜１９と共に第１乃至第３機能表示パターン表示回路２８〜３０に接続される。
【００１６】
ここで、ＴＶ駆動回路２４１、音響システム駆動回路２４２、Ａ／Ｃ駆動回路２４３、ＴＡＰＥ／ＣＤ駆動回路２４４、ナビゲーションシステム駆動回路２４５はそれぞれの一つが選択的に電源回路２３に接続された際に、各機器の駆動信号Ｄ１〜Ｄ５を第１乃至第３機能表示パターン表示回路２８〜３０にも出力する。このため、第１乃至第３機能表示パターン表示回路２８〜３０は各機器駆動信号Ｄ１〜Ｄ５に応じた機能表示パターンを第１乃至第３機能表示部１７〜１９とダイヤル本体表示部２５〜２７と第１、第２の補助機能指定スイッチ２１、２２（なお、同スイッチ２２の図中の回路は省略した）とに出力する。
図４及び図２（ａ）に示すように、ＴＶ駆動信号Ｄ１の出力時にはＴＶ機器Ｍ１の使用時にあるとして、姿勢駆動装置３４が電源回路２３に接続され、これにより、表示パネル７がセンタパネル２の上部の収納位置より上方の突出位置に切り換え保持される。なお、ＴＶ駆動信号Ｄ１のオフ時には姿勢駆動装置３４は表示パネル７を元の収納位置に戻すように駆動する。
【００１７】
一方、図２（ａ）に示すように、第１機能表示部１７上にはチャンネル設定のためのチャンネル及びチャンネル増減表示が成され、ダイヤル本体表示部２５にはチャンネル指示印１３２とメモリ表示がなされる。ダイヤル部１３１は押圧操作で切り換え作動し、ＴＶ駆動の場合は現在指示されているチャンネルの記憶処理がなされる。第２機能表示部１８上にはＴＶ駆動時の選択チャンネル表示がなされ、ダイヤル本体表示部２６にはチャンネル指示印１４２が表示される。第３機能表示部１９上にはボリューム表示がなされ、ダイヤル本体表示部２７に指示印１５２が表示される。なお、ＴＶ駆動の場合において、第１の補助機能指定スイッチ２１は２種類の互いに異なる音質の切り換えに使用され、第２の補助機能指定スイッチ２２は照度等を互いに異ならせた２つの画質を交互に切り換えるのに使用される。
【００１８】
図４及び図２（ｂ）に示す様に、音響システム駆動信号Ｄ２の出力時には音響システムＭ２の使用時にあるとして、第１機能表示部１７上にはＦＭ／ＡＭチャンネル表示が成され、ダイヤル本体表示部２５にはＦＭ／ＡＭ切り換え表示がなされる。なお、ダイヤル部１３１は押圧操作で切り換え作動し、音響システムＭ２駆動の場合はＦＭ／ＡＭの切り換えが交互になされる。第２機能表示部１８上には現在のチャンネル表示がなされ、ダイヤル本体表示部２６にはチャンネル指示印１４２とメモリ表示がなされる。ダイヤル部１４１は押圧操作で切り換え作動し、現在指示されているチャンネルの記憶処理がなされる。第３機能表示部１９上にはボリューム表示がなされ、ダイヤル本体表示部２７に指示印１５２が表示される。なお、音響システム駆動の場合において、第１の補助機能指定スイッチ２１は押圧操作されると、優先的に交通情報チャンネルへの切り換えを行え、第２の補助機能指定スイッチ２２は押圧操作されると、２種類の互いに異なる音質の切り換えを行える。
【００１９】
図４及び図２（ｃ）に示す様に、Ａ／Ｃ駆動信号Ｄ３の出力時にはＡ／Ｃ機器Ｍ３の使用時にあるとして、第１機能表示部１７上には複数の吹き出し口マークが所定間隔を保って順次表示され、ダイヤル本体表示部２５には指示印１３１の表示がなされる。第２機能表示部１８上には風量調整表示がなされ、ダイヤル本体表示部２６にはエアコン作動表示印１４３と指示印１４２の表示がなされる。ダイヤル部１４１は押圧操作で切り換え作動し、Ａ／Ｃ駆動の場合はオン／オフ切り換え処理がなされる。第３機能表示部１９上には温度設定のための設定温度表示がなされ、ダイヤル本体表示部２７に指示印１５２が表示される。なお、Ａ／Ｃ駆動の場合において、第１の補助機能指定スイッチ２１は押圧操作されると、リアガラスの後部熱線を加熱駆動させ、第２の補助機能指定スイッチ２２は押圧操作されると、内外気の切換え作動を指示する。
【００２０】
図３（ａ）に示すように、ＴＡＰＥ／ＣＤ駆動信号Ｄ４の出力時にはＴＡＰＥ／ＣＤ機器Ｍ４が使用時にあるとして、第１機能表示部１７上にはＴＡＰＥ／ＣＤ切り換えマークが所定間隔を保って表示され、ダイヤル本体表示部２５には指示印１３２が表示され、指示された側のＴＡＰＥあるいはＣＤの駆動モードに入ることができる。第２機能表示部１８上にはＴＡＰＥの停止、早送り、巻戻し記号が表示され、ダイヤル部１４１側の指示印１４２の切り換えで、ＴＡＰＥの停止、再生、早送り、巻戻しの各機能を実行させる。第３機能表示部１９上にはボリューム表示がなされ、ダイヤル本体表示部２７に指示印１５２が表示される。
【００２１】
なお、図示しない、ＣＤの駆動モード時にはＣＤ内の全局の番号が表示され、ダイヤル本体表示部２６の指示印１４２の切り換えで各局の選択がなされる。ダイヤル部１４１は押圧操作で選択されている番号の曲の演奏をオン／オフ切り換える。第３機能表示部１９上にはボリューム表示がなされ、ダイヤル本体表示部２７に指示印１５２が表示される。なお、ＴＡＰＥ／ＣＤ駆動の場合において、第１の補助機能指定スイッチ２１は押圧操作されると、次曲の演奏に切り換える指示を発する次曲選択スイッチとして機能し、第２の補助機能指定スイッチ２２はエジェクトスイッチであり押圧操作されると、テープやＣＤの取り出しを行える。
【００２２】
図４及び図３（ｂ）に示すように、ナビゲーションシステム駆動信号Ｄ５の出力時には、ナビゲーションシステムＭ５が使用時にあるとして、姿勢駆動装置３４が表示パネル７を収納位置より突出位置に切り換え保持し、オフ時には表示パネル７を元の収納位置に戻すように駆動する。
一方、第１機能表示部１７上にはスクロール機能を得るための方向表示が成され、ダイヤル本体表示部２５には指示印１３１と、ＰＵＳＨの表示がなされる。ここでダイヤル部１３１の回転操作と押圧操作を順次行うことで表示パネル７上に必要とするエリアの地図を表示することができる。
【００２３】
第２機能表示部１８上にはメニュー選択番号表示がなされ、ダイヤル本体表示部２６には指示印１４２の表示がなされる。ダイヤル部１４１は押圧されることでメニューが実行され、１に切り換えると「拡大」が選択され、２に切り換えると「縮少」が選択され、３が選択されると「情報」が選択され、順次その他の番号でその他のメニューが選択される。第３機能表示部１９上には現在の表示パネル７の地図画面を広域方向と詳細方向に拡大縮小する調整表示がなされ、ダイヤル本体表示部２７に指示印１５２が表示される。なお、ナビゲーションシステムＭ５の駆動の場合において、第１の補助機能指定スイッチ２１は押圧操作されると、前回の表示モードに戻る指示をし、第２の補助機能指定スイッチ２２は押圧操作されると、行き先設定のためのメニュー表示を表示パネル７上に表示する。
【００２４】
このような本実施形態の車両用表示装置にあっては、単一の操作パネル６上の１つのモード選択ダイヤル１２と３つの機能ダイヤル１３、１４、１５の切り換え操作のみで、５つの車載機器機器、即ち、ＴＶ機器と音響システム機器とＡ／Ｃ機器とＴＡＰＥ／ＣＤ機器とナビゲーションシステム機器との切り換え操作を可能としている。しかも、本来、各機器毎に同機器が備える複数機能の内より１つの機能を選択するための機能指定スイッチ（操作部）や機能表示部を機能の数だけ必要としていたが、ここでは、第１乃至第３機能表示部１７、１８、１９（機能表示部）のそれぞれが複数の車載機器の機能表示部として切り換え使用されるので、操作パネルに配備される機能表示部の配設スペースの節約を行え、操作パネルの小型化を促進でき、装着性を改善できる。
【００２５】
更に、図１の車両用表示装置では，特に、現在駆動指定されている１の機器の駆動がオフ、たとえば、図２（ｃ）の第２機能表示部１８上の風量調整表示がオフ位置（符号ｐ参照）に切り換えられていない限り、機器切換スイッチにより他の機器が駆動モードに切り換えられた場合は、切り換えられた最新の駆動指定されている機器の駆動を駆動機器表示部１６により、最新の指定機能を各機能表示部１７〜１９によりそれぞれ表示する。
このため、モード選択ダイヤル１２（機器切換スイッチ）及び、第１乃至第３機能ダイヤル１３〜１５（機能指定スイッチ）により複数機器の切換え及び指定機能の切換えを行う際に、駆動機器表示部及び機能表示部により指定機器の駆動表示及び指定機器が指定機能で駆動モードにあることを目視し易い位置に容易に表示できる。特に、第１乃至第３機能表示部４８、４９、５０を用い複数の車載機器の機能表示を行え、操作パネルに配備される表示部の配設スペースの節約を行え、操作パネルの小型化を促進でき、装着性を改善できる。
【００２６】
しかも、現在駆動指定されている機器の駆動がオフされていない限り、モード選択ダイヤル１２により他の機器が新たに指定された場合、現在指定されている機器を駆動したままで新たに他の機器を駆動モードに切換え、複数機器が同時駆動に入っても、最新の指定されている機器の駆動モードを駆動機器表示部１６により表示でき、最新の指定機能を第１乃至第３機能ダイヤル１３、１４、１５でそれぞれ選択し、指定機能を第１乃至第３機能表示部１７、１８、１９により順次表示でき、複数機器の駆動及び機能状態を表示性や操作性よく表示できる。
【００２７】
上述のように、モード選択ダイヤル１２の切り換え操作により５つの車載機器Ｍ１〜Ｍ５の内より選択された機器が指定される毎に、同指定機器が備える複数機能の内より第１乃至第３機能ダイヤル１３、１４、１５でそれぞれ選択した最新の３つの指定機能で指定機器を駆動し、その際、指定機器が指定機能に沿って駆動モードにあることを第１乃至第３機能表示部１７、１８、１９により乗員にとって目視し易い位置に表示できる。このため、図１の車両用表示装置では、操作パネル６に配備される５つの車載機器の各３つの機能表示部の配設スペースの節約を行え、操作パネル６の小型化を促進でき、インストルメントパネル側への装着性を改善できる。
【００２８】
図１の車両用表示装置は機能指定スイッチとしてダイヤル式の第１乃至第３機能ダイヤル１３、１４、１５を配備し、配設スペースのコンパクト化を図っていたが、これに代えて、図５に示すような他の実施形態としての車両用表示装置を用いてもよい。
【００２９】
ここでの車両用表示装置も図１のセンターコンソール５の前部中央位置に操作パネル６ａを取付けている。操作パネル６ａは、横向きに長い矩形板状を成し、左側部位に機器切換スイッチとしてのモード選択ダイヤル１２ａが、その右側に機能選択ダイヤル３０が、それらの間の上下各部に上下各５つの機能指定ボタンスイッチ３１〜３５、３６〜４０が配備される。更に、モード選択ダイヤル１２ａはスイッチ自体の表面に機器を表示する駆動機器表示部としてのダイヤル本体表示部４１〜４６が形成されている。即ち、ここでは、図２（ａ）に示したと同様に、全機器をオフするＯＦＦマーク及び５つの車載機器を示す機器マーク（ここではＴＶ、ＦＭ／ＡＭ、Ａ／Ｃ、ＴＡＰＥ／ＣＤ、ナビ）が表示され、スイッチ本体を指示印に合わせるように回転させることで、電源を切るか、指定された機器を駆動モードに切換える機能を備える。
【００３０】
更に、操作パネル６ａの中央部でモード選択ダイヤル１２ａの近傍位置には液晶表示部４７が配備されている。この液晶表示部４７は第１乃至第３機能表示部４８、４９、５０としての表示を行うべく複数の表示エリアを並設している。これら各表示エリアの表示は機能選択ダイヤル３０の回転操作により順次切り換え表示できるように構成される。
なお、図５中の第１乃至第３機能表示部４８、４９、５０にはＡ／Ｃ駆動時の表示モードを示した。この場合、第１機能表示部４８には風量表示が、第２機能表示部４９には吹き出し口表示が、第３機能表示部５０にはエアコン駆動時の自動温度設定表示がそれぞれ成されている。なお、その他の機器の場合も図１の各機器の表示パターンと同様の表示が成される。
【００３１】
上側の各５つの機能指定ボタンスイッチ３１〜３５は指定機器毎に配備され、各機器の第１乃至第３機能表示部４８、４９、５０の一つを順次選択可能状態に切り換えるスイッチであり、そこで選択された表示部の表示を機能選択ダイヤル３０が順次切り換える様に構成される。下側の各５つの機能指定ボタンスイッチ３６〜４０は図１の車両用表示装置で用いていた第１及び第２の補助機能指定スイッチ２１、２２と同等の機能が付与され、たとえば、ＴＶ機器Ｍ１が駆動モードにある時に、ボタンスイッチ３６は２種類の互いに異なる音質の切り換えに使用される。なお、ここでの表示回路は重複部分が多いことよりその説明を省略した。
【００３２】
図５の車両用表示装置も図１の車両用表示装置と同様に、モード選択ダイヤル１２ａ（機器切換スイッチ）及び機能選択ダイヤル３０（機能選択スイッチ）により複数機器の切換え及び指定機能の切換えを行う際に、ダイヤル本体表示部４１〜４６（駆動機器表示部）及び第１乃至第３機能表示部４８、４９、５０（機能表示部）により５つの車載機器の駆動表示及び指定機器が各３つの互いに異なる指定機能で駆動モードにあることを目視し易い位置に容易に表示できる。特に、第１乃至第３機能表示部４８、４９、５０を用い複数の車載機器の機能表示を行え、操作パネル６ａに配備される表示部の配設スペースの節約を行え、操作パネルの小型化を促進でき、装着性を改善できる。
【００３３】
【発明の効果】
以上のように、請求項１の発明は、複数車載機器の内より最新の指定機器が指定される毎に、同指定機器が備える複数機能の内より機能指定スイッチで選択した最新の１つの指定機能で指定機器が駆動モードにあることを機能表示部により目視し易い位置に容易に表示でき、特に、１つの機能表示部を複数の車載機器の機能表示部として切り換え使用でき、操作パネルに配備される機能表示部の配設スペースの節約を行え、操作パネルの小型化を促進でき、装着性を改善でき、更に、機能指定スイッチは機能ダイヤルからなるので、配設スペースのコンパクト化を図れる。
【００３４】
請求項２の発明では、機器切換スイッチ及び機能指定スイッチにより複数機器の切換え及び指定機能の切換えを行う際に、駆動機器表示部及び機能表示部により指定機器の駆動表示及び指定機器が指定機能で駆動モードにあることを目視し易い位置に容易に表示でき、特に、１つの機能表示部を複数の車載機器の機能表示部として切り換え使用でき、操作パネルに配備される表示部の配設スペースの節約を行え、操作パネルの小型化を促進でき、装着性を改善でき、更に、機能指定スイッチは機能ダイヤルからなるので、配設スペースのコンパクト化を図れる。
しかも、現在駆動指定されている機器の駆動がオフされていない限り、機器切換スイッチにより他の機器が駆動モードに切り換えられた場合、現在の指定機器を駆動したままで新たに他の機器を駆動モードに切換え、複数機器が同時駆動に入っても、最新の指定機器を駆動機器表示部により表示でき、最新の指定機能を機能表示部により順次表示でき、複数機器の駆動及び機能状態を表示性や操作性よく表示できる。
【図面の簡単な説明】
【図１】  本発明の一実施形態としての車両用表示装置を備えたインストルメントパネルの概略斜視図である。
【図２】  図１中のインストルメントパネルに配備された車両用表示装置の拡大正面図であり、（ａ）はＴＶ機器を、（ｂ）は音響機器を、（ｃ）はＡ／Ｃ機器をそれぞれ選択した時の表示モードを示している。
【図３】  図１中のインストルメントパネルに配備された車両用表示装置の拡大正面図であり、（ａ）はＴＡＰＥ／ＣＤ機器を、（ｂ）はナビゲーション機器をそれぞれ選択した時の表示モードを示している。
【図４】  図１中の車両用表示装置の駆動回路のブロック図である。
【図５】  本発明の他の実施形態としての車両用表示装置の拡大正面図である。
【図６】  従来の車両用表示装置を備えたインストルメントパネルの概略斜視図である。
【符号の説明】
１                  インストルメントパネル
２                  センタパネル
６，６ａ            操作パネル
１２，１２ａ        モード選択ダイヤル（機器切換スイッチ）
１３，１４，１５    第１乃至第３機能ダイヤル（機能指定スイッチ）
１６                駆動機器表示部
１７，１８，１９，４８，４９，５０
第１乃至第３機能表示部
３０                機能選択ダイヤル（機能指定スイッチ）
【図１】
0003896756.tif 000002
【図２】
0003896756.tif 000003
【図３】
0003896756.tif 000004
【図４】
0003896756.tif 000005
【図５】
0003896756.tif 000006
【図６】
0003896756.tif 000007